【手続補正書】
【提出日】平成17年4月13日(2005.4.13)
【手続補正１】
【補正対象書類名】明細書
【補正対象項目名】発明の名称
【補正方法】変更
【補正の内容】
【発明の名称】画像管理装置、クライアント装置、それらの制御方法、記憶媒体
【手続補正２】
【補正対象書類名】明細書
【補正対象項目名】特許請求の範囲
【補正方法】変更
【補正の内容】
【特許請求の範囲】
【請求項１】
ネットワーク経由でクライアント装置と通信可能な画像管理装置であって、
画像ファイルを記憶する記憶手段と、
前記クライアント装置から送信される認証情報に基づき、前記記憶手段における残り記憶容量をチェックするチェック手段と、
前記チェック手段によるチェック結果に基づき、前記クライアント装置から画像ファイルを受信する画像ファイル受信手段と、
前記クライアント装置からの要求に応答して、前記受信手段により受信された画像ファイルに基づく低解像度の画像データを前記クライアント装置へ送信する送信手段と、
前記送信手段により送信された低解像度の画像データと対応する画像ファイルＩＤを含む印刷オーダを受信する印刷オーダ受信手段と、
前記印刷オーダ受信手段により受信された印刷オーダに含まれる画像ファイルＩＤにしたがって、前記画像ファイルに基づく高解像度の画像データを出力制御装置へ送信するよう制御する制御手段とを備えたことを特徴とする画像管理装置。
【請求項２】
前記クライアント装置から前記画像ファイルのサイズを受信するファイルサイズ受信手段を更に備え、
前記チェック手段は、前記ファイルサイズ受信手段により受信された前記画像ファイルのサイズと前記残り記憶容量とを比較することを特徴とする請求項１記載の画像管理装置。
【請求項３】
前記チェック手段によるチェック結果を前記クライアント装置へ通知する通知手段を更に備えたことを特徴とする請求項１記載の画像管理装置。
【請求項４】
前記クライアント装置からの指示に応答して、前記残り記憶容量を追加する追加手段を更に備えたことを特徴とする請求項１記載の画像管理装置。
【請求項５】
前記クライアント装置からの認証情報に基づき、前記クライアント装置のログインを許可するログイン許可手段を更に備えたことを特徴とする請求項１記載の画像管理装置。
【請求項６】
ネットワーク経由で画像管理装置と通信可能なクライアント装置であって、
前記画像管理装置へ認証情報を送信する認証情報送信手段と、
前記送信手段により送信された認証情報に対応する前記画像管理装置の記憶手段の残り記憶容量に基づき、画像ファイルを前記画像管理装置へ送信する画像ファイル送信手段と、
前記画像ファイルに基づく低解像度の画像データを前記画像管理装置から受信する受信手段と、
前記受信手段により受信された低解像度の画像データと対応する画像ファイルＩＤを含む印刷オーダを送信する印刷オーダ送信手段とを備え、
前記印刷オーダ送信手段により送信された印刷オーダに含まれる画像ファイルＩＤにしたがって、前記画像ファイルに基づく高解像度の画像データが出力制御装置へ送信されるよう、前記画像管理装置にて制御されることを特徴とするクライアント装置。
【請求項７】
前記画像ファイルのサイズを送信するファイルサイズ送信手段を更に備え、
前記画像ファイル送信手段は、前記ファイルサイズ送信手段により送信された前記画像ファイルのサイズと前記残り記憶容量の比較に基づき、前記画像ファイルを前記画像管理装置へ送信することを特徴とする請求項６記載のクライアント装置。
【請求項８】
前記送信手段により送信された認証情報に対応する前記画像管理装置の記憶手段の残り記憶容量に関するメッセージを前記管理装置から受信するメッセージ受信手段と、
前記メッセージ受信手段により受信されたメッセージに応答することにより、前記画像ファイル送信手段による送信が実行されることを特徴とする請求項６記載のクライアント装置。
【請求項９】
前記画像管理装置の記憶手段の残り記憶容量を追加するよう指示する指示手段を更に備えたことを特徴とする請求項６記載のクライアント装置。
【請求項１０】
前記認証情報送信手段により送信された認証情報に基づき、前記画像管理装置によってログインが許可されると、前記画像ファイル送信手段による送信が実行されることを特徴とする請求項６記載のクライアント装置。
【請求項１１】
ネットワーク経由でクライアント装置と通信可能な画像管理装置の制御方法であって、
画像ファイルをディスクに記憶する記憶ステップと、
前記クライアント装置から送信される認証情報に基づき、前記ディスクにおける残り記憶容量をチェックするチェックステップと、
前記チェックステップにおけるチェック結果に基づき、前記クライアント装置から画像ファイルを受信する画像ファイル受信ステップと、
前記クライアント装置からの要求に応答して、前記受信ステップにおいて受信された画像ファイルに基づく低解像度の画像データを前記クライアント装置へ送信する送信ステップと、
前記送信ステップにおいて送信された低解像度の画像データと対応する画像ファイルＩＤを含む印刷オーダを受信する印刷オーダ受信ステップと、
前記印刷オーダ受信ステップにおいて受信された印刷オーダに含まれる画像ファイルＩＤにしたがって、前記画像ファイルに基づく高解像度の画像データを出力制御装置へ送信するよう制御する制御ステップとを備えたことを特徴とする制御方法。
【請求項１２】
前記クライアント装置から前記画像ファイルのサイズを受信するファイルサイズ受信ステップを更に備え、
前記チェックステップでは、前記ファイルサイズ受信ステップにおいて受信された前記画像ファイルのサイズと前記残り記憶容量とを比較することを特徴とする請求項１１記載の制御方法。
【請求項１３】
前記チェックステップにおけるチェック結果を前記クライアント装置へ通知する通知ステップを更に備えたことを特徴とする請求項１１記載の制御方法。
【請求項１４】
前記クライアント装置からの指示に応答して、前記ディスクの残り記憶容量を追加する追加ステップを更に備えたことを特徴とする請求項１１記載の制御方法。
【請求項１５】
前記クライアント装置からの認証情報に基づき、前記クライアント装置のログインを許可するログイン許可ステップを更に備えたことを特徴とする請求項１１記載の制御方法。
【請求項１６】
ネットワーク経由で画像管理装置と通信可能なクライアント装置の制御方法であって、
前記画像管理装置へ認証情報を送信する認証情報送信ステップと、
前記送信ステップにおいて送信された認証情報に対応する前記画像管理装置の記憶手段の残り記憶容量に基づき、画像ファイルを前記画像管理装置へ送信する画像ファイル送信ステップと、
前記画像ファイルに基づく低解像度の画像データを前記画像管理装置から受信する受信ステップと、
前記受信ステップにおいて受信された低解像度の画像データと対応する画像ファイルＩＤを含む印刷オーダを送信する印刷オーダ送信ステップとを備え、
前記印刷オーダ送信ステップにおいて送信された印刷オーダに含まれる画像ファイルＩＤにしたがって、前記画像ファイルに基づく高解像度の画像データが出力制御装置へ送信されるよう、前記画像管理装置にて制御されることを特徴とする制御方法。
【請求項１７】
前記画像ファイルのサイズを送信するファイルサイズ送信ステップを更に備え、
前記画像ファイル送信ステップでは、前記ファイルサイズ送信ステップにおいて送信された前記画像ファイルのサイズと前記残り記憶容量の比較に基づき、前記画像ファイルを前記画像管理装置へ送信することを特徴とする請求項１６記載の制御方法。
【請求項１８】
前記送信ステップにおいて送信された認証情報に対応する前記画像管理装置の記憶手段の残り記憶容量に関するメッセージを前記管理装置から受信するメッセージ受信ステップと、
前記メッセージ受信ステップにおいて受信されたメッセージに応答することにより、前記画像ファイル送信ステップにおける送信が実行されることを特徴とする請求項１６記載の制御方法。
【請求項１９】
前記画像管理装置の記憶手段の残り記憶容量を追加するよう指示する指示ステップを更に備えたことを特徴とする請求項１６記載の制御方法。
【請求項２０】
前記認証情報送信ステップにおいて送信された認証情報に基づき、前記画像管理装置によってログインが許可されると、前記画像ファイル送信ステップにおける送信が実行されることを特徴とする請求項１６記載の制御方法。
【請求項２１】
ネットワーク経由でクライアント装置と通信可能なコンピュータに、
画像ファイルをディスクに記憶する記憶ステップと、
前記クライアント装置から送信される認証情報に基づき、前記ディスクにおける残り記憶容量をチェックするチェックステップと、
前記チェックステップにおけるチェック結果に基づき、前記クライアント装置から画像ファイルを受信する画像ファイル受信ステップと、
前記クライアント装置からの要求に応答して、前記受信ステップにおいて受信された画像ファイルに基づく低解像度の画像データを前記クライアント装置へ送信する送信ステップと、
前記送信ステップにおいて送信された低解像度の画像データと対応する画像ファイルＩＤを含む印刷オーダを受信する印刷オーダ受信ステップと、
前記印刷オーダ受信ステップにおいて受信された印刷オーダに含まれる画像ファイルＩＤにしたがって、前記画像ファイルに基づく高解像度の画像データを出力制御装置へ送信するよう制御する制御ステップを実行させるためのプログラムを記録したコンピュータ読取可能な記憶媒体。
【請求項２２】
前記クライアント装置から前記画像ファイルのサイズを受信するファイルサイズ受信ステップを更に実行させ、
前記チェックステップでは、前記ファイルサイズ受信ステップにおいて受信された前記画像ファイルのサイズと前記残り記憶容量とを比較するためのプログラムを記録した請求項２１記載のコンピュータ読取可能な記憶媒体。
【請求項２３】
前記チェックステップにおけるチェック結果を前記クライアント装置へ通知する通知ステップを更に実行させるためのプログラムを記録した請求項２１記載のコンピュータ読取可能な記憶媒体。
【請求項２４】
前記クライアント装置からの指示に応答して、前記ディスクの残り記憶容量を追加する追加ステップを更に実行させるためのプログラムを記録した請求項２１記載のコンピュータ読取可能な記憶媒体。
【請求項２５】
前記クライアント装置からの認証情報に基づき、前記クライアント装置のログインを許可するログイン許可ステップを更に実行させるためのプログラムを記録した請求項２１記載のコンピュータ読取可能な記憶媒体。
【請求項２６】
ネットワーク経由で画像管理装置と通信可能なコンピュータに、
前記画像管理装置へ認証情報を送信する認証情報送信ステップと、
前記送信ステップにおいて送信された認証情報に対応する前記画像管理装置の記憶手段の残り記憶容量に基づき、画像ファイルを前記画像管理装置へ送信する画像ファイル送信ステップと、
前記画像ファイルに基づく低解像度の画像データを前記画像管理装置から受信する受信ステップと、
前記受信ステップにおいて受信された低解像度の画像データと対応する画像ファイルＩＤを含む印刷オーダを送信する印刷オーダ送信ステップとを実行させ、
前記印刷オーダ送信ステップにおいて送信された印刷オーダに含まれる画像ファイルＩＤにしたがって、前記画像ファイルに基づく高解像度の画像データが出力制御装置へ送信されるよう、前記画像管理装置にて制御されるためのプログラムをコンピュータ読取可能に記憶した記憶媒体。
【請求項２７】
前記画像ファイルのサイズを送信するファイルサイズ送信ステップを更に実行させ、
前記画像ファイル送信ステップでは、前記ファイルサイズ送信ステップにおいて送信された前記画像ファイルのサイズと前記残り記憶容量の比較に基づき、前記画像ファイルを前記画像管理装置へ送信するプログラムをコンピュータ読取可能に記憶した請求項２６記載の記憶媒体。
【請求項２８】
前記送信ステップにおいて送信された認証情報に対応する前記画像管理装置の記憶手段の残り記憶容量に関するメッセージを前記管理装置から受信するメッセージ受信ステップを更に実行させ、
前記メッセージ受信ステップにおいて受信されたメッセージに応答することにより、前記画像ファイル送信ステップにおける送信が実行されるプログラムをコンピュータ読取可能に記憶した請求項２６記載の記憶媒体。
【請求項２９】
前記画像管理装置の記憶手段の残り記憶容量を追加するよう指示する指示ステップを更に実行させるプログラムをコンピュータ読取可能に記憶した請求項２６記載の記憶媒体。
【請求項３０】
前記認証情報送信ステップにおいて送信された認証情報に基づき、前記画像管理装置によってログインが許可されると、前記画像ファイル送信ステップにおける送信が実行されるプログラムをコンピュータ読取可能に記憶した請求項２６記載の記憶媒体。
【手続補正３】
【補正対象書類名】明細書
【補正対象項目名】０００１
【補正方法】変更
【補正の内容】
【０００１】
【発明の属する技術分野】
本発明はネットワーク上で、画像ファイルを管理し、クライアント装置からの印刷オーダに基づき画像ファイルに対する印刷を実行するための画像管理装置、クライアント装置、それらの制御方法、記憶媒体に関する。
【手続補正４】
【補正対象書類名】明細書
【補正対象項目名】００１１
【補正方法】変更
【補正の内容】
【００１１】
【課題を解決するための手段】
本発明は前記問題に鑑みてなされたものであり、ネットワーク経由でクライアント装置と通信可能な画像管理装置であって、画像ファイルを記憶する記憶手段と、前記クライアント装置から送信される認証情報に基づき、前記記憶手段における残り記憶容量をチェックするチェック手段と、前記チェック手段によるチェック結果に基づき、前記クライアント装置から画像ファイルを受信する画像ファイル受信手段と、前記クライアント装置からの要求に応答して、前記受信手段により受信された画像ファイルに基づく低解像度の画像データを前記クライアント装置へ送信する送信手段と、前記送信手段により送信された低解像度の画像データと対応する画像ファイルＩＤを含む印刷オーダを受信する印刷オーダ受信手段と、前記印刷オーダ受信手段により受信された印刷オーダに含まれる画像ファイルＩＤにしたがって、前記画像ファイルに基づく高解像度の画像データを出力制御装置へ送信するよう制御する制御手段とを備えたことを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】削除
【補正の内容】
【手続補正４１】
【補正対象書類名】明細書
【補正対象項目名】００４８
【補正方法】削除
【補正の内容】
【手続補正４２】
【補正対象書類名】明細書
【補正対象項目名】００４９
【補正方法】削除
【補正の内容】
【手続補正４３】
【補正対象書類名】明細書
【補正対象項目名】００５０
【補正方法】削除
【補正の内容】
【手続補正４４】
【補正対象書類名】明細書
【補正対象項目名】００５１
【補正方法】削除
【補正の内容】
【手続補正４５】
【補正対象書類名】明細書
【補正対象項目名】００５２
【補正方法】削除
【補正の内容】
【手続補正４６】
【補正対象書類名】明細書
【補正対象項目名】０１６８
【補正方法】変更
【補正の内容】
【０１６８】
また、イメージタイルキャッシュファイル廃棄時刻は、イメージサーバ１０２や他のプリントサーバからイメージタイルを取得したときだけでなく、自身のプリントサーバに存在するイメージファイルのタイルを使用したときに、イメージタイルキャッシュファイル時刻を更新してもよい。この場合は、再びプリントコントローラ１０３に再登録を行う。